(57)【要約】【課題】  ユーザの手を煩わせることなく、無線電波の受信に好適な位置にチップアンテナを位置決めする。【解決手段】  チップアンテナを備えたアンテナケース４１は、プリンタ本体１２の上面であって、カバー３０の回動に伴って回動可能な位置にケース支持体を介して取り付けられている。未使用時は、カバー３０に押圧されてカバー３０に備えられたアンテナケース収納スペース４７に収納され、使用時にはカバー３０の回動に伴ってアンテナケース４１も回動し、アンテナケース４１がプリンタ本体１２の設置面に対して略９０°の位置まで回動すると、ストッパにより回動が妨げられ、ねじりコイルバネにより付勢される。これにより、使用時にはアンテナケース４１が略９０°の位置に位置決めされるため、無線電波を好適に受信することができる。【選択図】図１
2008168590.tif 000002
【特許請求の範囲】
【請求項１】
受信装置を備えた電子機器であって、
電子機器本体に設けられた支持軸に回動可能に取り付けられ、該電子機器本体の上面を覆う閉鎖位置から前記支持軸を中心に回動させると該電子機器の上面を外部に露出させ電子機器設置面との角度が９０°を超える開放位置に至るカバーと、
前記受信装置が外部装置とブルートゥース規格に基づいてデータの受信を行うときに使用されるチップアンテナと、
前記チップアンテナを備え、前記カバーが前記閉鎖位置にあるとき該カバーによって押圧されて該カバーの下面に接する未使用位置に位置決めされ、前記カバーが前記閉鎖位置から前記開放位置に回動するとき、前記未使用位置から前記電子機器設置面に対して略９０°に立設する使用位置に位置決めされるアンテナケースと、
を備えた電子機器。
【請求項２】
前記アンテナケースは、前記電子機器本体に設けられたケース軸に回動可能に取り付けられ、前記カバーが前記閉鎖位置から前記電子機器設置面との角度が略９０°に至る垂直位置までは該カバーと連動して前記未使用位置から前記使用位置まで回動し、その後該カバーが前記垂直位置から前記開放位置に至るまでは該カバーと連動せず前記使用位置に止まる、
請求項１に記載の電子機器。
【請求項３】
前記ケース軸は、前記支持軸と共通化されている、
請求項２に記載の電子機器。
【請求項４】
請求項２又は３に記載の電子機器であって、
前記アンテナケースを前記未使用位置から前記使用位置に向かって付勢する付勢部材と、
前記アンテナケースが前記使用位置を超えて回転するのを阻止する回転阻止部材と、
を備え、
前記アンテナケースは、前記カバーが前記閉鎖位置から前記垂直位置に至るまでは前記付勢部材に付勢されることにより前記カバーと連動して前記未使用位置から前記使用位置まで回動し、その後該カバーが前記垂直位置から前記開放位置に至るまでは前記回転阻止部材に回転を阻止されることにより前記カバーと連動せず前記使用位置に位置決めされる、
電子機器。
【請求項５】
前記アンテナケースは、前記カバーが前記閉鎖位置にあるときには、前記カバーで本体内部に没入した状態に押圧され、該カバーが前記閉鎖位置から前記開放位置に回動するに伴って、前記電子機器本体の上側に突出し、前記電子機器設置面との角度が略９０°である前記使用位置に移動する、
請求項１に記載の電子機器。
【請求項６】
前記アンテナケースは、前記未使用位置にあるときには前記電子機器本体と前記カバーとの間に形成される収納スペースに収納される、
請求項１〜５のいずれかに記載の電子機器。
【請求項７】
前記電子機器は、前記チップアンテナで受信した印刷データに基づいて印刷可能な印刷機構を備えた印刷装置である、
請求項１〜６のいずれかに記載の電子機器。
【請求項８】
請求項１〜７のいずれかに記載の電子機器であって、
各部に電源を供給可能なバッテリ、
を備えた電子機器。
【発明の詳細な説明】
【技術分野】
【０００１】
本発明は、電子機器に関する。
【背景技術】
【０００２】
従来より、無線通信機能を備えた記録装置が知られている。無線通信を行うためには、記録装置に無線送受信用のアンテナを適切な位置に備える必要がある。例えば、特許文献１に記載された記録装置では、外装の一部が開閉可能なカバーとなっており、該カバーの一部にアンテナを備えている。
【特許文献１】特開２００２−１２０４３０
【発明の開示】
【発明が解決しようとする課題】
【０００３】
しかしながら、従来用いられているブルートゥース（ＢＬＵＥＴＯＯＴＨ（登録商標））規格に基づいて送受信される電波は、チップアンテナで受信するときの受信角度が狭い。また、電波受信については、金属等の電波を反射する物体がアンテナに接近して存在すると、反射波の干渉等が原因となり、受信状態が非常に悪くなる。このため、ユーザが自ら電波の受信に適切な位置に設置しなければならないという問題があった。
【０００４】
本発明は、このような発明に鑑みなされたものであり、使用時に、ユーザの手を煩わせることなくチップアンテナが電波の受信に好適な位置に位置決めされる電子機器を提供することを目的とする。
【課題を解決するための手段】
【０００５】
本発明は、上述の目的を達成するために以下の手段を採った。
【０００６】
本発明の電子機器は、
電子機器本体に設けられた支持軸に回動可能に取り付けられ、該電子機器本体の上面を覆う閉鎖位置から該支持軸を中心に回動させると該電子機器の上面を外部に露出させ電子機器設置面との角度が９０°を超える開放位置に至るカバーと、
前記受信装置が外部装置とブルートゥース規格に基づいてデータの受信を行うときに使用されるチップアンテナと、
前記チップアンテナを備え、前記カバーが前記閉鎖位置にあるとき該カバーによって押圧されて該カバーの下面に接する未使用位置に位置決めされ、前記カバーが前記閉鎖位置から前記開放位置に回動するとき、前記未使用位置から前記電子機器設置面に対して略９０°に立設する使用位置に位置決めされるアンテナケースと、
を備えたものである。
【０００７】
この電子機器では、アンテナケースに備えられたチップアンテナを介して受信装置が外部装置とブルートゥース規格に基づいてデータの受信を行う。ここで、カバーが閉鎖位置にあるときには、アンテナケースは該カバーに押圧されて該カバーの下面に接する未使用位置に位置決めされる。一方、ユーザが、カバーを閉鎖位置から開放位置に開くと、それに伴って、アンテナケースは、未使用位置から電子機器設置面に対して略９０°に立設する使用位置に移動する。本発明者の実験によると、チップアンテナを用いてブルートゥース規格に基づくデータの受信を行う場合、電子機器設置面に対して略９０°となるようにチップアンテナを立設したときに、全方位からデータの受信を行うことができることがわかっている。したがって、ユーザの手を煩わせることなくチップアンテナを電波の受信に好適な位置に位置決めすることができる。
【０００８】
本発明の電子機器において、前記アンテナケースは、前記電子機器本体に設けられたケース軸に回動可能に取り付けられ、前記カバーが前記閉鎖位置から前記電子機器設置面との角度が略９０°に至る垂直位置までは該カバーと連動して前記未使用位置から前記使用位置まで回動し、その後該カバーが前記垂直位置から前記開放位置に至るまでは該カバーと連動せず前記使用位置に止まるものとしてもよい。こうすれば、カバーを開けるという使用時に行われる動作に伴って、チップアンテナが無線電波を受信するに好適な使用位置に位置決めすることができる。このとき、前記ケース軸は、前記支持軸と共通化されているものであってもよい。こうすれば、より少ない部材で同様の効果を得ることができる。
【０００９】
本発明の電子機器は、前記アンテナケースを前記未使用位置から前記使用位置に向かって付勢する付勢部材と、前記アンテナケースが前記使用位置を超えて回転するのを阻止する回転阻止部材とを備え、前記アンテナケースは、前記カバーが前記閉鎖位置から前記垂直位置に至るまでは前記付勢部材に付勢されることにより前記カバーと連動して前記未使用位置から前記使用位置まで回動し、その後該カバーが前記垂直位置から前記開放位置に至るまでは前記回転阻止部材に回転を阻止されることにより前記カバーと連動せず前記使用位置に位置決めされるものであってもよい。こうすれば、アンテナケースは付勢部材によって回転阻止部材に押しつけられた状態で使用位置に位置決めされるため、使用中のアンテナ位置を固定することができる。
【００１０】
本発明の電子機器において、前記アンテナケースは、前記カバーが前記閉鎖位置にあるときには、前記カバーで本体内部に没入した状態に押圧され、該カバーが前記閉鎖位置から前記開放位置に回動するに伴って、前記電子機器本体の上側に突出し、前記電子機器設置面との角度が略９０°である前記使用位置に移動可能であってもよい。こうすれば、より簡単な構成でアンテナケースを使用位置に位置決めすることができる。
【００１１】
本発明の電子機器において、前記アンテナケースは、前記未使用位置にあるときには前記電子機器本体と前記カバーとの間に形成される収納スペースに収納されるものであってもよい。こうすれば、未使用時にアンテナケースが破損することを防ぐことができる。
【００１２】
本発明の電子機器において、前記電子機器は、前記チップアンテナで受信した印刷データに基づいて印刷可能な印刷機構を備えた印刷装置であってもよい。こうすれば、チップアンテナで受信したデータに基づいて印刷することができる。
【００１３】
本発明の電子機器は、各部に電源供給可能なバッテリを備えたものとしてもよい。このような電子機器はバッテリを備えているため、持ち運び可能である。例えば、ある場所に固定された外部機器からデータを電子機器のチップアンテナで受信する場合、チップアンテナと外部電子機器との位置関係は電子機器を持ち運ぶことにより変化するが、チップアンテナは絶えず外部電子機器からのデータを受信可能な姿勢、つまり電子機器設置面に対して略９０°に位置決めされるため、電子機器はデータを良好に受信することができる。
【発明を実施するための最良の形態】
【００１４】
次に、本発明の実施の形態を図面に基づいて説明する。図１は、本発明の一実施形態であるフォトプリンタ１０の前面扉１４及びカバー３０を開けた状態の斜視図であり、図２は、フォトプリンタ１０の構成の概略を示すブロック図であり、図３はフォトプリンタ１０の前面扉１４及びカバー３０を閉じた状態の斜視図であり、図４はアンテナケース４１とケース支持体４４の接続を説明する説明図である。
【００１５】
本実施形態のフォトプリンタ１０は、図１に示すように、プリンタ本体１２の上面に設けられた操作パネル２０と、プリンタ本体１２の前面を開閉可能な前面扉１４と、プリンタ本体１２の上面の奥の一辺に開閉自在に取り付けられ閉状態で操作パネル２０を覆うカバー３０と、プリンタ本体１２の上面の奥の一辺に回動可能に取り付けられたケース支持体４４（図４参照）に接続されるアンテナケース４１と、フォトプリンタ１０の各部に電力を供給するバッテリ６０と、プリンタ本体１２に内蔵された印刷機構５０（図２参照）と、フォトプリンタ１０の全体の制御を司るコントローラ７０（図２参照）とを備えている。なお、本実施形態では印刷媒体を「記録紙」として説明するが、材質を特定する趣旨ではなく、紙の他フィルムなど他の材質も含むものとする。
【００１６】
操作パネル２０は、文字や図形、記号などを表示するディスプレイ２２と、このディスプレイ２２の周囲に配置されたボタン群２４とを備えている。ボタン群２４は、図２に示すように、電源のオンオフを行うための電源ボタン２４ａ、ディスプレイ２２に表示されている画像等の表示サイズを６分割表示・１５分割表示・全画面表示等に切り替えるための表示切替ボタン２４ｂ、印刷機能に関する複数の選択肢が並んだメインメニュー画面を呼び出すためのメニューボタン２４ｃ、操作を途中でキャンセルしたり記録紙Ｓへの印刷を途中で中断したりするためのキャンセルボタン２４ｄ、記録紙Ｓへの印刷実行を指示するための印刷ボタン２４ｅ、メモリカードスロット１８に挿入されたメモリカードＭに編集画像等を保存するための保存ボタン２４ｆ、ディスプレイ２２に表示された複数の選択肢の中から所望の選択肢を選択したりカーソルを移動したりするときに操作される上下左右ボタン２４ｇ、この上下左右ボタン２４ｇの中央に配置され上下左右ボタン２４ｇによって選択されている選択肢に決定したことを指示するためのＯＫボタン２４ｈなどで構成されている。また、図１に示すように、操作パネル２０の奥には、印刷機構５０の給紙口５８が設けられ、この給紙口５８には、ガイド幅が記録紙Ｓの幅に合うように左右方向にスライド操作される一対の用紙ガイド５９ａ，５９ｂが設けられている。
【００１７】
前面扉１４は、プリンタ本体１２の前面を開閉するための蓋であり、図１に示すように、開状態のときには、プリンタ本体１２の前面から排紙される記録紙Ｓを受けるための排紙トレイとして機能すると共に、プリンタ本体１２の前面に設けられた各種のメモリカードスロット１８をユーザが利用可能な状態となる。
【００１８】
カバー３０は、図１に示すように、プリンタ本体１２の上面を覆うことのできる大きさに成形された樹脂板でありアンテナケース４１を収容するアンテナケース収納スペース４７と、ディスプレイ２２と同じ大きさの窓３４とを備え、カバー支持軸３２に開閉可能に取り付けられている。また、カバー３０が開放位置にあるときには、カバー３０の下辺がプリンタ本体１２の上面の奥の一辺に係止され、操作パネル２０の表面を外部に露出した状態（図１参照）となる。このとき、カバー３０は、フォトプリンタ１０の設置面との角度が９０°を越える位置（例えば１２０〜１４０°）で保持されるようになっている。このため、開放位置のカバー３０の裏面は、記録紙Ｓを印刷機構５０へ供給するためのトレイとして利用可能である。一方、カバー３０が閉鎖位置にあるときには、アンテナケース４１をアンテナケース収納スペース４７に収納し、操作パネル２０を覆う（図３参照）。このとき、カバー３０に備えられた窓３４により、カバー３０が閉鎖位置のときにはユーザはこの窓３４を介してディスプレイ２２の表示内容を確認することができる。
【００１９】
アンテナケース４１は、図４に示すように、ブルートゥース規格に基づいて電波を送受信するチップアンテナ４１ａ及び送受信装置４１ｂと、コントローラ７０とのデータのやりとりをＵＳＢを介して行うためのＵＳＢ雄型コネクタ４１ｃとを備えている。このアンテナケース４１は、ＵＳＢ雄型コネクタ４１ｃがケース支持体４４に設けられたＵＳＢ雌型コネクタ４４ａに差し込まれることにより、ケース支持体４４と一体化される。ケース支持体４４は、カバー支持軸３２に挿通された円筒部４４ｂによりカバー支持軸３２の周りを回動可能となっている。つまり、アンテナケース４１のケース軸はカバー支持軸３２と共通化されている。このケース支持体４４は、円筒部４４ｂのうちＵＳＢ雌型コネクタ４４ａが設けられている側とは反対側に突起４４ｃを有している。このため、ケース支持体４４がカバー３０に押圧されてアンテナケース収納スペース４７に収納されている状態から、カバー支持軸３２の周りを回動してＵＳＢ雌型コネクタ４４ａがプリンタ本体１２の設置面に対して略９０°になったとき、突起４４ｃがプリンタ本体１２に一体化されたストッパ４６に当接してそれ以上ケース支持体４４が回動するのを阻止する。また、カバー支持軸３２にはねじりコイルバネ４２が挿入され、このねじりコイルバネ４２の一方の足はケース支持体４４に固定され、他方の足はストッパ４６に固定されている。このねじりコイルバネ４２により、ケース支持体４４はカバー３０に押圧されている状態から起き上がる方向へ付勢されている。
【００２０】
印刷機構５０は、プリンタ本体１２の内部に配置され、図２に示すように、左右方向にループ状に架け渡されたタイミングベルト５１により駆動されガイド５２に沿って左右に往復動するキャリッジ５３と、このキャリッジ５３に搭載されシアン・マゼンタ・イエロー・ブラック等の各色のインクを個別に収容したインクカートリッジ５４と、各インクカートリッジ５４から供給された各インクに圧力をかけてノズルから記録紙Ｓに向かってインクを吐出する印刷ヘッド５５と、操作パネル２０に形成された給紙口５８から供給された記録紙Ｓを排紙トレイである開状態の前面扉１４へ送り出す搬送ローラ５６とを備えている。印刷ヘッド５５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。キャリッジ５３は、記録紙Ｓの左右端や上下端を検出する紙端検出センサ５７を備えている。この紙端検出センサ５７は、給紙口５８にセットされた記録紙Ｓに対して印刷前にキャリッジ５３が左右方向に走査したときにその記録紙Ｓの左右端を検出して用紙幅の認識を可能にしたり、印刷途中で記録紙Ｓの後端を検出して用紙長さの認識を可能にしたりする。
【００２１】
バッテリ６０は、充放電可能なリチウム水素電池やニッケル水素電池などに代表される二次電池である。このバッテリ６０には、図示しない電源ユニットが接続され、この電源ユニットを介して適宜必要な電圧レベルに変換した電圧を各種回路やデバイスに供給する。
【００２２】
コントローラ７０は、図２に示すように、ＣＰＵ７１を中心とするマイクロプロセッサとして構成されており、各種処理プログラムや各種データ、各種テーブルなどを記憶したＲＯＭ７２と、一時的にデータを記憶するＲＡＭ７３と、電気的に書き換え可能で電源を切ってもデータは保持されるフラッシュメモリ７４と、メモリカードスロット１８に挿入されたメモリカードＭやチップアンテナ４１ａ、印刷機構５０、操作パネル２０と通信を可能とするインタフェース７５（Ｉ／Ｆ）とを備え、これらはバス７７を介して互いに信号のやり取りが可能なように接続されている。このコントローラ７０は、メモリカードスロット１８に挿入されたメモリカードＭの画像ファイルやチップアンテナ４１ａで受信した画像ファイルなどを入力するほか、印刷機構５０の紙端検出センサ５７からの検出信号や操作パネル２０のボタン群２４からの指令信号を入力する。また、コントローラ７０は、メモリカードＭに編集画像などを保存するほか、印刷機構５０の印刷ヘッド５５への制御信号や操作パネルのディスプレイ２２への制御信号を出力する他、チップアンテナ４１ａ及び送受信装置４１ｂを介して無線電波を送信する。
【００２３】
次に、こうして構成された本実施形態のフォトプリンタ１０の動作、特に、アンテナケース４１の動作について説明する。図５〜図７は、アンテナケース４１の動作を説明するための説明図である。図５に示すように、フォトプリンタ１０が未使用のときは、アンテナケース４１はカバー３０に押圧され、ケース支持体４４を介してねじりコイルバネ４２によってアンテナケース収納スペース４７に付勢される。未使用時にアンテナケース４１をアンテナケース収納スペース４７に収容することで、アンテナケース４１の破損を防ぐことができる。フォトプリンタ１０が使用されるときは、カバー３０を閉鎖位置から開放位置に移動させる。このとき、カバー３０がフォトプリンタ１０の設置面に対して略９０°の位置まで移動する間、アンテナケース４１はケース支持体４４を介してねじりコイルバネ４２によってアンテナケース収納スペース４７に付勢されたまま、カバー３０の移動に伴って移動する（図６参照）。カバー３０が図６に示す位置からさらに開放位置に向かって移動すると、突起４４ｃがストッパ４６によって回動を妨げられるため、ケース支持体４４は、略９０°以上の位置へ回動することができない。また、このときねじりコイルバネ４２によって付勢されるため、アンテナケース４１はケース支持体４４を介して、略９０°の位置に位置決めされる。このため、図７に示すように、カバー３０は開放位置に移動したとき、アンテナケース４１は使用位置に付勢される。これにより、チップアンテナ４１ａは、カバー３０を開放位置に移動するに伴って、電波の受信に好適な略９０°の位置に位置決めされる。
【００２４】
ここで、ブルートゥース規格に基づくデータの受信を行うときに、データの受信に好適な立設位置について説明する。好適な立設位置を定めるため、チップアンテナとしては、Ｂｉｌｌｉｏｎｔｏｎ製ドングル  型番ＧＵＢＴＣＲ４２をプリンタ設置面に対する角度の調節が可能なカバーを備えたプリンタのカバーに設置した。次に、プリンタから１０ｍ離れた位置に電波送信用ＰＣを用意し、プリンタ正面に対する電波送信用ＰＣの角度（以下「ＰＣ設置角度」という）を０°から３６０°の所定の角度とし、ＨＣＲＰ（Ｈａｒｄｃｏｐｙ  Ｃａｂｌｅ  Ｒｅｐｌａｃｅｍｅｎｔ  Ｐｒｏｆｉｌｅ）印刷を行い、印刷が終了するまでの時間を測定した。このとき、チップアンテナが取り付けられたカバーはプリンタの設置面に対して１２５°及び９０°のそれぞれの角度に固定し、プリンタ及び電波送信用ＰＣは高さ１００ｃｍの位置に設置した。
【００２５】
上述した条件で測定した結果、各角度におけるＨＣＲＰ印刷に必要な時間を以下の表１に示した。なお、表１中の「×」は印刷中に記録紙が排出され印刷ができなかったことを表し、「−」は測定を行っていないことを表す。この結果から、チップアンテナはプリンタ設置面に対して垂直の位置にあるときは、ＰＣ設置角度に関わらず印刷可能であり、印刷時間もチップアンテナの角度が１２５°のときに比べより短くなる。このため、ブルートゥース規格に基づいてデータの送受信を行うチップアンテナはプリンタ設置面に対して９０°の角度で立設するのが、印刷を行うに最も好適な角度であると言える。
【００２６】
【表１】
2008168590.tif 000003
【００２７】
ここで、本実施形態の構成要素と本発明の構成要素との対応関係について説明する。本実施形態のフォトプリンタ１０が本発明の電子機器に相当し、送受信装置４１ｂが送受信装置に相当し、プリンタ本体１２が電子機器本体に相当し、カバー支持軸３２が支持軸に相当し、カバー３０がカバーに相当し、チップアンテナ４１ａがチップアンテナに相当し、アンテナケース４１がアンテナケースに相当し、ねじりコイルバネ４２が付勢部材に相当し、ストッパ４６が回転阻止部材に相当し、アンテナケース収納スペース４７が収納スペースに相当し、印刷機構５０が印刷機構に相当し、バッテリ６０がバッテリに相当する。
【００２８】
以上詳述した本実施形態のフォトプリンタ１０によれば、アンテナケース４１に備えられたチップアンテナ４１ａを介して送受信装置４１ｂが外部装置とブルートゥース規格に基づいてデータの送受信を行う。ここで、カバー３０が閉鎖位置にあるときには、アンテナケース４１はカバー３０に押圧されてカバー３０の下面に接する未使用位置に位置決めされる。一方、ユーザが、カバー３０を閉鎖位置から開放位置に開くと、それに伴って、アンテナケース４１は、未使用位置からフォトプリンタ１０設置面に対して略９０°に立設する使用位置に移動する。こうすることにより、ユーザの手を煩わせることなくチップアンテナ４１ａを電波の受信に好適な位置に位置決めすることができる。
【００２９】
また、カバー３０を開けるという使用時に行われる動作によってチップアンテナ４１ａが電波を受信するのに好適な使用位置に位置決めすることができる。このとき、ケース軸はカバー支持軸３２と共通化されているため、より少ない構成で同様の効果を得ることができる。
【００３０】
更に、ケース支持体４４は、ねじりコイルバネ４２によってストッパ４６に突起４４ｃが当接した状態で使用位置に付勢されるため、使用中のチップアンテナ４１ａの位置を固定することができる。
【００３１】
更にまた、アンテナケース４１は、未使用位置にあるときにはプリンタ本体１２とカバー３０との間に形成されるアンテナケース収納スペース４７に収納されるものであるため、未使用時にアンテナケース４１が破損することを防ぐことができる。
【００３２】
そしてまた、フォトプリンタ１０は、チップアンテナ４１ａで受信した印刷データに基づいて印刷可能な印刷機構５０を備えた印刷装置であるため、チップアンテナ４１ａで受信したデータに基づいて印刷することができる。
【００３３】
そして更に、フォトプリンタ１０は各部に電源を供給可能なバッテリ６０を備えているため、フォトプリンタ１０は自由に持ち運ぶことが可能となる。例えば、ある場所に固定された外部機器からデータをフォトプリンタ１０のチップアンテナ４１ａで受信する場合、チップアンテナ４１ａと外部電子機器との位置関係はフォトプリンタ１０を持ち運ぶことにより変化するが、チップアンテナ４１ａは絶えず外部電子機器からのデータを受信可能な姿勢、つまりフォトプリンタ１０設置面に対して略９０°に位置決めされるため、フォトプリンタ１０はデータを良好に受信することができる。
【００３４】
なお、本発明は上述した実施形態に何ら限定されることはなく、本発明の技術的範囲に属する限り種々の態様で実施し得ることはいうまでもない。
【００３５】
例えば、上述した実施形態では、画像処理装置としてインクジェット方式のフォトプリンタ１０を例示したが、電子写真方式やドットインパクト方式などのプリンタに本発明を適用してもよいし、プリンタのほかにスキャナなどの機能を併せ持つ複合機に本発明を適用してもよい。
【００３６】
上述した実施形態では、ケース支持体４４が、ねじりコイルバネ４２によってストッパ４６に突起４４ｃが当接した状態で使用位置に付勢されることで、チップアンテナ４１ａが使用位置に位置決めされることとしたが、ストッパ４６の代わりに、プリンタ本体１２とケース支持体４４をつなぐ糸８６を備えていてもよい。具体的には、図８に示すように、カバー３０を開くと、ケース支持体４４はカバー３０に押圧されている状態から、ねじりコイルバネ４２により起き上がる方向に回動する。そして、ケース支持体４４がプリンタ本体１２の設置面に対して略９０°になったとき、糸８６がピンと張り、それ以上ケース支持体４４が回動するのを阻止するようにしてもよい。
【００３７】
上述した実施形態では、アンテナケース４１のケース軸はカバー支持軸３２と共通化されているものとしたが、それぞれ別々に備えるものとしてもよい。こうすれば、アンテナケース４１の配置の自由度を高めることができる。
【００３８】
上述した実施形態では、カバー３０はカバー支持軸３２に取り付けられ、回動可能なものであるとしたが、カバー３０は取り外し可能としてもよい。
【００３９】
上述した実施形態では、図１に示すように、アンテナケース４１は上面の奥の一辺に備えられたケース支持体４４に接続され、カバー３０が閉鎖位置から開放位置に回動するに伴って、収納位置から使用位置に回動することとしたが、カバー３０が閉鎖位置にあるときには、カバー３０でプリンタ本体１２の内部に没入した状態に押圧され（図９（ａ）参照）、カバー３０が閉鎖位置から開放位置に回動するに伴って、プリンタ本体１２の上側に突出し、フォトプリンタ１０設置面との角度が略９０°である使用位置（図９（ｂ）参照）に移動することとしてもよい。
【００４０】
このときの動作について、図９を用いて、更に詳しく説明する。図９は、他の実施形態のアンテナケース４１の動作を説明する説明図である。このとき、アンテナケース接続口８０の下面は、バネ８２を介してアンテナケース収納スペース８４の下部に接続されている。フォトプリンタ１０が未使用状態のときは、図９（ａ）に示すように、カバー３０によって押圧され、アンテナケース４１はプリンタ本体１２の上面に設けられたアンテナケース収納スペース８４に収納される。このため、アンテナケース４１の破損を防ぐことができる。一方、フォトプリンタ１０が使用されるときは、図９（ｂ）に示すように、カバー３０が開放位置に移動するため、アンテナケース４１がカバー３０によって押圧されることはない。このため、バネ８２によってアンテナケース４１はプリンタ本体１２の上面に押し上げられる。このとき、アンテナケース収納スペース４７はプリンタ本体１２の設置面に対して略９０°となるように設けられているため、アンテナケース４１はプリンタ本体１２の上面であって略９０°の位置に位置決めされる。これにより、チップアンテナ４１ａが無線電波を受信するに好適な位置に位置決めすることができる。
【図面の簡単な説明】
【００４１】
【図１】フォトプリンタ１０の前面扉１４及びカバー３０を開けた状態の斜視図。
【図２】フォトプリンタ１０の構成の概略を示すブロック図。
【図３】フォトプリンタ１０の前面扉１４及びカバー３０を閉じた状態の斜視図。
【図４】アンテナケース４１とケース支持体４４の接続を説明する説明図。
【図５】カバー３０が閉鎖位置のときのアンテナケース４１の位置を示す説明図。
【図６】カバー３０が略９０度のときのアンテナケース４１の位置を示す説明図。
【図７】カバー３０が開放位置のときのアンテナケース４１の位置を示す説明図。
【図８】他の実施形態のアンテナケース４１の位置決めを説明するための説明図。
【図９】他の実施形態のアンテナケース４１の動作を説明するための説明図。
【符号の説明】
【００４２】
１０  フォトプリンタ、１２  プリンタ本体、１４  前面扉、１８  メモリカードスロット、２０  操作パネル、２２  ディスプレイ、２４  ボタン群、２４ａ  電源ボタン、２４ｂ  表示切替ボタン、２４ｃ  メニューボタン、２４ｄ  キャンセルボタン、２４ｅ  印刷ボタン、２４ｆ  保存ボタン、２４ｇ  上下左右ボタン、２４ｈ  ＯＫボタン、３０  カバー、３２  カバー支持軸、３４  窓、４１  アンテナケース、４１ａ  チップアンテナ、４１ｂ  送受信装置、４１ｃ  ＵＳＢ雄型コネクタ、４２  ねじりコイルバネ、４４  ケース支持体、４４ａ  ＵＳＢ雌型コネクタ、４４ｂ  円筒部、４４ｃ  突起、４６  ストッパ、４７  アンテナケース収納スペース、４８  ケース軸、５０  印刷機構、５１  タイミングベルト、５２  ガイド、５３  キャリッジ、５４  インクカートリッジ、５５  印刷ヘッド、５６  搬送ローラ、５７  紙端検出センサ、５８  給紙口、５９  用紙ガイド、６０  バッテリ、７０  コントローラ、７１  ＣＰＵ、７２  ＲＯＭ、７３  ＲＡＭ、７４  フラッシュメモリ、７５  Ｉ／Ｆ、７７  バス、８０  アンテナケース接続口、８２  バネ、８４  アンテナケース収納スペース、８６  糸、Ｍ  メモリカード、Ｓ  記録紙。
【図１】
2008168590.tif 000004
【図２】
2008168590.tif 000005
【図３】
2008168590.tif 000006
【図４】
2008168590.tif 000007
【図５】
2008168590.tif 000008
【図６】
2008168590.tif 000009
【図７】
2008168590.tif 000010
【図８】
2008168590.tif 000011
【図９】
2008168590.tif 000012